(57)【要約】【課題】機内で版胴上に画像を形成可能で、印刷された用紙を乾燥させる乾燥装置を備えた印刷機において、必要部分のみを乾燥させて消費電力を下げることができ、高温化を防ぐことができる印刷機を提供することをその課題とする。【解決手段】プリプレスデータを基に画像形成装置９は版胴１上の版フィルム８に画像を形成する。その後、版胴１上の版フィルム８にインキローラー群４からインキが供給され、ゴム胴２を介して圧胴３上の枚葉紙Ｐに印刷が施されることとなる。そして圧胴３上の印刷後の枚葉紙Ｐに乾燥装置Ｔの発光ダイオード２１による紫外線照射が行われることとなるが、発光ダイオード２１のＯＮ−ＯＦＦは前記のプリプレスデータを基に制御部Ｓが制御する。【選択図】図１
2010089455.tif 000002
【特許請求の範囲】
【請求項１】
版胴上に繰出された版フィルムにプリプレスデータを基に画像を形成する画像形成装置を備え、搬送されてくる用紙に該版フィルムに形成された画像を印刷し、印刷後の用紙を乾燥させる乾燥装置を備えた印刷機において、該乾燥装置が、用紙の幅方向に沿って所定間隔をおいて並べた複数の発光ダイオードを備え、該プリプレスデータを基に用紙の大きさ又は用紙上に印刷された画像の位置と大きさに基づいて該乾燥装置の乾燥領域を制御する制御手段を備えたことを特徴とする印刷機。
【発明の詳細な説明】
【技術分野】
【０００１】
本発明は、版胴上に繰出された版フィルムにプリプレスデータを基に機内で画像を形成し、印刷された用紙を乾燥させる乾燥装置を備えた印刷機に関する。
【背景技術】
【０００２】
印刷機には機内に設けられた画像形成装置により版胴上に繰出された版フィルムにプリプレスデータを基に画像を形成する、いわゆるデジタル印刷機と呼ばれる印刷機が知られている。そして印刷された用紙は印刷機内に設けられた水銀灯などによるＵＶ照射等の乾燥装置にて乾燥されることも知られている。例えば特許文献１には、この画像形成装置と乾燥装置とを有するデジタル印刷機の開示がある。
【特許文献１】特開平６−２５５０７２号公報
【発明の開示】
【発明が解決しようとする課題】
【０００３】
この種の印刷機は常時乾燥装置を使用することにより、用紙の非印刷部分や圧胴上など乾燥が不要な部分にも乾燥装置が照射してしまい、消費電力において改善の余地があった。また、この種の印刷機は機内で画像を形成するため、機内が高温化する可能性があった。また、版胴への給水装置を使わない、いわゆる水無し印刷方式が用いられるため、この点でも高温化が助長される。一方で印刷中は一定の出力で常時乾燥装置を作動させており、この乾燥装置の発熱もあり、熱対策の必要があった。
【０００４】
本発明は前述の問題に鑑み、機内で版胴上に画像を形成可能で、印刷された用紙を乾燥させる乾燥装置を備えた印刷機において、必要部分のみを乾燥させて消費電力を下げることができ、高温化を防ぐことができる印刷機を提供することをその課題とする。
【課題を解決するための手段】
【０００５】
前記課題を解決するために、本発明は、版胴１上に繰出された版フィルム８にプリプレスデータを基に画像を形成する画像形成装置９を備え、搬送されてくる用紙Ｐに該版フィルム８に形成された画像を印刷し、印刷後の用紙Ｐを乾燥させる乾燥装置Ｔを備えた印刷機において、該乾燥装置Ｔが、用紙Ｐの幅方向に沿って所定間隔をおいて並べた複数の発光ダイオード２１を備え、該プリプレスデータを基に用紙Ｐの大きさ又は用紙Ｐ上に印刷された画像の位置と大きさに基づいて該乾燥装置Ｔの乾燥領域を制御する制御手段Ｓを備えたことを特徴としている。
【発明の効果】
【０００６】
本発明の請求項１記載の印刷機によれば、乾燥装置が、用紙の幅方向に沿って所定間隔をおいて並べた複数の発光ダイオードを備え、プリプレスデータを基に用紙の大きさ又は用紙上に印刷された画像の位置と大きさに基づいて乾燥装置の乾燥領域を制御する制御手段を備えたので、必要部分のみを乾燥させて必要最小限の消費電力で乾燥装置を作動でき、乾燥装置の熱発生を防ぐことのできる印刷機を実現することができる。
【発明を実施するための最良の形態】
【０００７】
本発明の実施形態による印刷機について図１〜３に基づき説明する。図１の概略全体図に示す通り、本実施例に係る印刷機は枚葉オフセット印刷機である。この印刷機は、紙積み台からフィーダ装置や用紙分離装置等により一枚ずつ印刷用紙としての枚葉紙Ｐを送り出すための給紙部Ａと、この給紙部Ａからの枚葉紙Ｐに印刷を行うための印刷部Ｂと、枚葉紙Ｐを排紙するための排紙部Ｃを備えている。また、前記排紙部Ｃは、グリッパを備えるチェーン搬送装置１０にて構成されているが、この排紙部Ｃのない印刷機であってもよい。また、印刷機を構成する各部の具体的な構成は図に示されるものに限定されるものではない。
【０００８】
前記印刷部Ｂは、版胴１とゴム胴２とインキローラー群４、そして圧胴３とを備えている。前記圧胴３には送り出されてきた枚葉紙Ｐを爪台と爪とで把持するグリッパを円周方向の３箇所（１箇所又は２箇所でもよい）に備えている。符号５は給紙胴であり、フィーダーボード６上を搬送される枚葉紙Ｐをスイングアーム７から受け取り、圧胴３に渡す役割を果たす。給紙胴５、スイングアーム７にも前記の爪台と爪が設けられている。尚、インキローラー群４は一つの版胴１に対して左右一つずつ、すなわち二色分設けられている。よって版胴１及びこれと同径のゴム胴２も二色分、すなわち半面に例えばブラック、もう一つの半面にシアンのインキが載せられることとなる。本実施例では版胴１及び２が二つ設けられているので、四色機として構成されている。
【０００９】
本実施形態における版胴１は上記の通り二色用のものとなっているため、版胴１にはその外周面に二色分の版フィルム８を巻き付ける構成となっている。すなわち、各色用の版フィルム８を供給する供給リール１ａと巻取りリール１ｂとが二組設けられている。また、版胴１の上部には画像形成装置９が設けられており、版胴１上の版フィルム８に画像を形成可能になっている。
画像形成装置は後述するプリプレスデータを基に画像を形成する。１つの印刷作業が終了し、別の画像を印刷する場合、供給リール１ａと巻取りリール１ｂが駆動し、画像が形成された部分の版フィルム８を巻取り、新たな版フィルム８を版胴１上に繰出す。
【００１０】
また、圧胴３に近接して乾燥装置Ｔが設けられている。乾燥装置Ｔは具体的には紫外線照射部であり、図２にも示すように、圧胴３の周面にほぼ直交する方向に照射軸を有する多数の発光ダイオード２１を備え、それら発光ダイオード２１が圧胴３の近傍に配置されている。これら多数の発光ダイオード２１は基板２２に備えられており、枚葉紙Ｐの幅方向に多数配置されている。
【００１１】
前記制御部Ｓについて詳述すれば、図３に示すように、枚葉紙の大きさ又は枚葉紙上に印刷された画像の位置と大きさに基づいて紫外線の照射領域を算出する照射領域算出手段１１と、該照射領域算出手段１１から算出した照射領域に紫外線を照射すべく発光ダイオード２１をＯＮにする点灯制御手段１２を基本的に備えている。
前記照射領域算出手段１１は、印刷前に画像のレイアウトなどを決定して版を作成する工程で作成されるプリプレスデータを制御部Ｓに入力して、照射領域を算出することになり、具体的には、プリプレスデータから枚葉紙の幅方向における左右両端の位置を算出する左右位置算出手段１３と、枚葉紙又は枚葉紙上に印刷された画像の搬送方向始端と搬送方向終端の両端の位置を算出する搬送方向両端位置算出手段１４とを、前記照射領域算出手段１１が備えており、算出された位置に基づいて発光ダイオード２１をＯＮするように構成している。尚、画像形成装置９も前記のプリプレスデータを基に画像を形成するように構成されている。
【００１２】
前記制御部Ｓには、図３に示すように、枚葉紙Ｐの搬送速度によって発光ダイオード２１をＯＮするタイミングが遅れることがないように枚葉紙Ｐの搬送速度に合わせてタイミングを調整するためのタイミング調整手段１５を備えている。従って、枚葉紙Ｐの搬送速度を検出する搬送速度検出手段１６にて検出される搬送速度がタイミング調整手段１５に入力されると、予め記憶されているデータの中から検出された搬送速度に対応する発光ダイオード２１をＯＮするタイミングを取り出し、その取り出したデータに基づいて発光ダイオード２１をＯＮするタイミングを調整することができるようにしている。
【００１３】
次に本発明の作用について説明する。まず、プリプレスデータを基に画像形成装置９は版胴１上の版フィルム８に画像を形成する。その後、版胴１上の版フィルム８にインキローラー群４からインキが供給され、ゴム胴２を介して圧胴３上の枚葉紙Ｐに印刷が施されることとなる。そして圧胴３上の印刷後の枚葉紙Ｐに乾燥装置Ｔの発光ダイオード２１による紫外線照射が行われることとなる。
具体的には、上述の通り、一つの版胴１及びゴム胴２は二色用のものとなっているので、枚葉紙Ｐはゴム胴２と圧胴３との間を二回通される必要がある。よって、圧胴３が二回転することで一枚の枚葉紙Ｐへの四色の印刷が完了することとなる。発光ダイオード２１による紫外線照射は、四色の印刷が完了した時、すなわち１枚の枚葉紙Ｐに対して圧胴３が二回転した時に行われることとなるよう、印刷機を駆動する、図示しない駆動部に設けられたエンコーダからの情報を基にＯＮ−ＯＦＦ制御される。このように乾燥装置として発光ダイオード２１を用いた場合、瞬時のＯＮ−ＯＦＦが可能であり、高速回転する圧胴３に対して間欠的に必要なタイミングで照射制御することが可能となる。
加えて前述の通り、発光ダイオード２１の照射のＯＮ−ＯＦＦはプリプレスデータを基に制御部Ｓが制御することとなる。すなわち、プリプレスデータをもとに枚葉紙Ｐの大きさ又は枚葉紙Ｐ上に印刷された画像の位置と大きさに基づいて発光ダイオード２１がＯＮ−ＯＦＦ制御される。枚葉紙Ｐに印刷される画像を版フィルム８に形成する画像形成装置９と発光ダイオード２１のＯＮ−ＯＦＦを制御する制御部Ｓとは同じプリプレスデータを用いるので、非常に精度よく必要最小限の箇所にのみ確実に乾燥を施すことができ、省電力化を図ることができる。
つまり、印刷機内で版を作成しないタイプ、すなわちプリプレスデータを用いて版を作成し、この版を版胴に取付けるタイプの印刷機において、同じプリプレスデータを用いて乾燥装置の制御をする場合、版胴への版の取付け時のずれにより、乾燥装置の照射位置がずれてしまう可能性がある。一方、本発明に係る、いわゆるデジタル印刷機は版胴１上の版フィルム８に直接画像を形成するので、このようなずれがなく、非常に精度がよい。また、発光ダイオード２１は熱を発生させないので、印刷機の高温化を防ぐことができる。
【００１４】
本発明における発光ダイオードを用いた乾燥装置は、熱を発生せず、瞬時にＯＮ−ＯＦＦが可能で、コンパクトかつ長寿命であり、消費電力も節約が可能であり、様々な印刷機に適用が可能である。例えば、用紙に連続する番号を印刷する、いわゆるナンバリング機は一般に用紙の一部にのみ印刷を行うものであるが、このナンバリング機に発光ダイオードの乾燥装置を用いる場合、少数の発光ダイオードを用いればよく、低価格で実現が可能である。
また、従来からある、水銀灯などを用いた紫外線乾燥装置はオゾンの発生による腐食防止のためにカバー内面に塗装をする必要がある。一方、カバー内面には高い寸法精度を要求される部品を取付ける都合上、部品の取付け部分をマスキングして塗装する手間があった。よって、発光ダイオードを用いた紫外線乾燥装置を用いればカバー内面の塗装が不要となり、製造工程の簡略化、コストダウンが図れる。
また、前述の通り、発光ダイオードは熱の発生が上記従来の装置よりも非常に低い。よって、印刷後の用紙が積まれた排紙部との距離を短くすることができる。また、従来の水銀灯などを用いた紫外線乾燥装置のための水冷ボードの設置も不要であり、コンパクトな印刷機の実現が可能である。
【００１５】
本発明に係るデジタル印刷機の乾燥装置は、上述した実施の形態に限定されず、特許請求の範囲で記載した範囲で種々の変形や改良が可能である。例えば、前述の実施例では、枚葉オフセット印刷機であったが、これに限定されず、輪転紙オフセット式印刷機やインクジェット式印刷機、またフレキソ印刷機のようなものであってもよい。
【産業上の利用可能性】
【００１６】
本発明に係る印刷機は、機内で版胴上に画像を形成可能で、印刷された用紙を乾燥させる乾燥装置を備えた印刷機において極めて有用である。
【図面の簡単な説明】
【００１７】
【図１】本発明に係る乾燥装置を備えた枚葉オフセット印刷機の概略側面図
【図２】乾燥装置Ｔと圧胴３の要部正面図
【図３】制御部Ｓの構成を示すブロック図
【符号の説明】
【００１８】
１                  版胴
３                  圧胴
９                  画像形成装置
１１                  照射領域算出手段
１２                  点灯制御手段
１５                  タイミング調整手段
２１                  発光ダイオード
Ｐ                  枚葉紙
Ｓ                  制御部
Ｔ                  乾燥装置
【図１】
2010089455.tif 000003
【図２】
2010089455.tif 000004
【図３】
2010089455.tif 000005